(57)【要約】【課題】誰でも簡単に使用することができ、また生地に与えるダメージも少ないロールアップ用クリップを提供する。【解決手段】ロールアップされた裾のサイドシームを収める縦溝２６を略中央に有する一対の裾当て部１２、１４と、一対の裾当て部１２、１４をそれぞれの縦溝２６を対向させた状態に拘束するクリップ部１６を備え、クリップ部１６が有する弾性力によって一対の裾当て部１２、１４の間にサイドシームを含むロールアップされた裾を挟み込むことを特徴とするロールアップ用クリップ１０を提供する。【選択図】図１
0003170463.tif 000002
【実用新案登録請求の範囲】
【請求項１】
ロールアップされた裾のサイドシームを収める縦溝を略中央に有する一対の裾当て部と、前記一対の裾当て部を前記縦溝が対向した状態に拘束するクリップ部を備え、前記クリップ部が有する弾性力によって前記一対の裾当て部の間にサイドシームを含むロールアップされた裾を挟み込むことを特徴とする、ロールアップ用クリップ。
【請求項２】
前記縦溝の両側に連続する平面部を備え、前記平面部が前記縦溝に収められたサイドシームの両側の裾に面接触することを特徴とする、請求項１に記載のロールアップ用クリップ。
【請求項３】
前記一対の裾当て部が、前記クリップ部に近い位置にある端部より遠い位置にある端部において間隔が広いことを特徴とする、請求項１または２に記載のロールアップ用クリップ。
【考案の詳細な説明】
【技術分野】
【０００１】
本考案は、裾を巻き上げた状態に維持するためのロールアップ用クリップに関する。
【背景技術】
【０００２】
ジーンズ等のパンツ類の既製品は裾が長めに造られていることが多いため、購入者の好みに応じて裾上げ補正を行うのが一般的である。裾上げ補正をせずに裾を巻き上げて長さを調整することも行われていたが、世間的には不精で格好の悪いこととされていた。ところが最近では、ジーンズの裾を巻き上げた状態はロールアップと呼ばれ、特に若い女性の間では人気のファッションスタイルとして定着してきている。
【０００３】
しかし、ロールアップは単に裾を巻き上げているだけであるため、歩行中に裾がずれて落ちてくることがある。裾が落ちた状態は不快で見た目も悪いというだけではなく、裾を踏んで躓いたり、自転車のチェーン等の駆動部に裾が巻き込まれたりするなど安全面でも問題があり、転倒事故の原因にもなっていた。ロールアップされた裾を安全ピンやヘアピン等で留めたりするなどの手当てが一部ではなされているが、これらのピンは厚手のデニム生地に使用するには強度的に弱く、また本来の目的外の使用であることからファッション性に問題がある。そのような中、ロールアップ用に特化したピンとして、デニム生地にも使用することができ、かつアクセサリーとしてファッション性を高めたピンが提案されている（特許文献１参照）。
【先行技術文献】
【特許文献】
【０００４】
【特許文献１】実用新案登録第３１６４８７６号公報
【考案の概要】
【考案が解決しようとする課題】
【０００５】
特許文献１に開示されたピンは、ロールアップされた裾部分に針を刺し通すタイプのものであり、厚手の生地であっても強固に固定できる点に特長がある。しかし、ロールアップされた裾部分は折り返されたデニム生地が何重にも重なっているため、針を刺し通すには相当の力が必要となり、女性や子供には取り扱いが容易ではない。またジーンズに針跡が残ることがあるため、特に高級ブランドものやヴィンテージものに対しては使用が躊躇される。
【０００６】
本考案は、誰でも簡単に使用することができ、また生地に与えるダメージが少ないロールアップ用クリップを提供することを目的としている。
【課題を解決するための手段】
【０００７】
本考案は、ロールアップされた裾のサイドシームを収める縦溝を略中央に有する一対の裾当て部と、前記一対の裾当て部を前記縦溝が対向した状態に拘束するクリップ部を備え、前記クリップ部が有する弾性力によって前記一対の裾当て部の間にサイドシームを含むロールアップされた裾を挟み込むことを特徴とする、ロールアップ用クリップを提供する。
【０００８】
本考案のロールアップ用クリップは、サイドシームを中心として裾を一対の裾当て部の間に挟み込むことによりロールアップされた状態に維持するものであるため、針跡等によって生地を傷めることがない。また、一対の裾当て部の先端部の間にロールアップされた裾を挟み、そのまま持ち上げるだけで装着が可能であるため、特段の技術がなくても誰でも簡単に使用することができる。
【０００９】
サイドシームとは前身頃と後身頃を繋ぐ縫い目のことであり、股側（内側）を縦に走る縫い目のことをインサイドシーム、外側を縦に走る縫い目のことをアウトサイドシームという。サイドシームは、割り縫いや巻き縫いと呼ばれる縫製方法で強固に縫い上げられており、その結果、他の部分より厚くそして硬くなっている。そのため、サイドシームおよびその両側がロールアップされた裾の中で最も型崩れが起きにくい部位となる。ロールアップ用クリップは、このサイドシームを中心とした部位に装着することにより、型崩れの影響のない安定した装着状態が維持されるようになり、装着位置の位置ずれや脱落などを防止することができる。
【００１０】
本考案のロールアップ用クリップは、前記縦溝の両側に連続する平面部を備え、前記平面部が前記縦溝に収められたサイドシームの両側の裾に面接触するように構成してもよい。平面部が裾と面接触することで圧力が分散され、生地に与えるダメージが大幅に軽減される。さらには裾と面接触する部分に粗面処理等を施してもよい。摩擦係数が増すため着脱時に多少の抵抗が生じることになるが、位置ずれや脱落などの防止効果が格段に高まるという利点がある。
【００１１】
本考案のロールアップ用クリップは、一対の裾当て部が、クリップ部に近い位置にある端部より遠い位置にある端部において間隔が広くなるように構成してもよい。クリップ部から遠い位置にある端部は装着する際に最初に裾を挟む箇所であるため、この間隔が相対的に広げられることで装着が容易になるという利点がある。
【考案の効果】
【００１２】
本考案のロールアップ用クリップは、クリップ部が備える弾性力によって装着するように構成されているため、着脱に特段の技術や力を必要とせず、誰でも簡単に使用することができる。また、針を使用する場合に比べて格段に安全であり、生地に与えるダメージも少ない。
【図面の簡単な説明】
【００１３】
【図１】ロールアップ用クリップの全体構造を示す斜視図
【図２】ロールアップ用クリップの正面図
【図３】ロールアップ用クリップの平面図
【図４】ロールアップ用クリップの側面図
【図５】ロールアップ用クリップの使用方法を示す図
【考案を実施するための形態】
【００１４】
本考案の実施の形態について、添付した図面を参照しながら説明する。図１乃至図４において、ロールアップ用クリップ１０（以下、クリップ１０と称する。）は、一対の裾当て部１２、１４と、裾当て部１２、１４の下端部と連結されたクリップ部１６によって構成されている。
【００１５】
裾当て部１２、１４は、それぞれ一枚の金属板をベンダー加工（折り曲げ加工）によって折り曲げることで成形されている。裾当て部１２、１４には縦方向に延びる４本の折り目１８、２０、２２、２４が形成されており、内側の２本の折り目２０、２２で折り曲げることで中央に縦溝２６を形成し、外側の２本の折り目１８、２４で折り曲げることで縦溝２６の両側にそれぞれ平面部２８、３０を形成している。これらは全て鈍角に折り曲げられているため、縦溝２６は溝奥へ行くに従って溝幅が狭くなっている。
【００１６】
クリップ部１６はＵ字型に湾曲した金属片で構成されている。クリップ部１６は長手方向の両端部１６ａ、１６ｂが一定の間隔をおいて対向する位置関係となるように湾曲しており、両端部１６ａ、１６ｂの間隔を広げたときに元の位置に復元させるだけの弾性力を備えている。両端部１６ａ、１６ｂにはそれぞれ裾当て部１２、１４の下端部が溶接されている。これにより、裾当て部１２、１４はそれぞれの縦溝２６が対向するような位置関係に拘束される。両端部１６ａ、１６ｂは先端に行くに従って互いの間隔を広げる方向に延びているため、これに溶接されて連続する裾当て部１２、１４は下端部から上端部に行くに従って間隔が広がっている。
【００１７】
次にクリップ１０の使用方法について、図５を参照しながら説明する。ジーンズ４０は裾の部分が適当な幅で数回折り返されロールアップされている。このロールアップされた裾部分４２のサイドシーム４４に縦溝２６が当接するように位置を合わせてクリップ１０を装着する。装着に際しては、対向する縦溝２６の先端部の間にサイドシーム４４を挟み、そのまま上方に滑らせるように移動させるだけでよい。裾当て部１２、１４は下端部から上端部に行くに従って間隔が広がっているため、クリップ１０を上方に移動させるだけでスムーズに装着することができる。クリップ１０はサイドシーム４４の厚みに従って一対の裾当て部１２、１４の間隔を広げ、これにより生じるクリップ部１６の弾性力によって裾部分４２に固定される。
【００１８】
クリップ１０はサイドシーム４４およびその両側部分という比較的型崩れしにくい箇所に装着されているため、装着位置の位置ずれや脱落などの不具合の発生を軽減もしくは回避することができる。また縦溝２６の両側の平面部２８、３０がサイドシーム４４の両側部分に面接触するため、クリップ部１６の弾性力による圧力が面全体に分散され、生地に与えるダメージも大幅に軽減される。
【００１９】
クリップ１０はロールアップの固定という実用的な用途に加え、ワンポイントアクセサリーとして足元のおしゃれを演出する装飾品として用いることもできる。例えば、裾当て部１２、１４に彩色を施したりメッセージを記したりしてもよく、さらにはビーズデコレーションなどを施してもよい。
【００２０】
クリップ１０は本考案を実施するための一形態であって、本考案が提供するロールアップ用クリップはこれに限定されるものではない。例えば、クリップ１０においては全ての折り目１８、２０、２２、２４が鈍角になるようにベンダー加工されているが、これは鈍角であれば加工が容易であり、歩留まりが向上するという製造上の利点と、縦溝の間口が広がることでサイドシームを納めやすくなるという使用上の利点から採用されたものである。従って、裾をロールアップされた状態に維持するという本考案の趣旨によれば、折り目１８、２０、２２、２４の角度は直角でもよく、若干であれば鋭角も許容される。
【００２１】
裾当て部１２、１４については、下端部から上端部に行くに従って間隔が広がっているか、少なくとも上端部分は開いていることが装着の容易さという点では好ましいが、両者を平行に配置して下端部から上端部まで全ての間隔を一定にすることも可能である。この場合、平面部２８、３０がより広い領域でサイドシーム４４の両側の周辺部分に面接触するようになるため、生地の傷みの軽減という点でより有利となる。
【符号の説明】
【００２２】
１０        ロールアップ用クリップ
１２、１４  裾当て部
１６        クリップ部
２６        縦溝
２８、３０  平面部
【図１】
0003170463.tif 000003
【図２】
0003170463.tif 000004
【図３】
0003170463.tif 000005
【図４】
0003170463.tif 000006
【図５】
0003170463.tif 000007